(57)【要約】【課題】  カタログやＣＤ−ＲＯＭ等を挟着保持でき且ＣＤ−ＲＯＭ等の簡便な装着と防塵及び説明者を取引先等に確実に告知できる多機能性ファイルの提供。【解決手段】  透明で弾性を有する合成樹脂シート材を中央で折合し表基部と裏基部が形成され、更に表基部の側縁を内側に折返して挟着保持部が形成され、且裏基部を内側に折返して装着部が形成されるとともに、該装着部にＣＤ−ＲＯＭ若しくはＤＶＤ−ＲＯＭを装着固定する装着固定部及び名刺挿入部が形成された構成。【選択図】  図１
2007076351.tif 000002
【特許請求の範囲】
【請求項１】
透明で弾性を有する合成樹脂シート材からなり、その中央で折合されて左右対称形状の表基部及び裏基部が形成され、且表基部の側縁と連接され而も該側縁より内側に折合されたうえ、その下辺が表基部の下縁と接合され且その上辺及び側辺の長さが表基部の下縁、及び側縁の長さより短く且上辺と側辺とが曲線状に切欠された形状で挟着保持部が形成され、更に裏基部の側縁と連接され且該側縁より内側に折合されたうえ、その下辺が裏基部の下縁と接合され且その上辺及び側辺の長さが裏基部の側縁及び下縁の長さより短く、而も該上辺と側辺とが裏基部を傾斜２等分する形状に切欠された形状で装着部が形成されてなるとともに、該装着部にはその折合辺と下辺にＣＤ−ＲＯＭ若しくはＤＶＤ−ＲＯＭが接触される位置において、対向側の円弧部分を挟持できる装着固定部と且その適宜位置に名刺挿入部が形成されてなる多機能性ファイル。
【請求項２】
装着固定部が所要の挿入幅と長さで且その両側端に挿入幅より広い孔径を有する挟入変形孔が形成され、而も円弧形状若しくは直線形状からなる請求項１記載の多機能性ファイル。
【請求項３】
名刺挿入部が、その長さにおいて名刺の幅に略等しく且簡便に挿入しえるスリット幅で、而も挿入される名刺の端縁が装着部の下辺若しくは折合辺で係止される位置に形成される請求項１記載の多機能性ファイル。
【発明の詳細な説明】
【技術分野】
【０００１】  本発明は企業案内を初め、製品や商品若しくはサービスの宣伝及び付帯データーの提供、或いは販売促進や企画提案等に、ＣＤ−ＲＯＭ若しくはＤＶＤ−ＲＯＭを併用する場合の多機能性ファイルに関する。
【背景技術】
【０００２】  企業案内を初め、新製品や新商品若しくはサービスの宣伝及び付帯データー等は、従来多種に亘るカタログやパンフレットを作成し、更に販売促進資料や企画提案書等は、ワードプロセッサー等で作成のうえ顧客や取引業者等に配布していたものであるが、当然に企業案内や新製品及び新商品若しくはサービスのためのカタログやパンフレット等は、その使用する紙質や印刷性若しくはデザイン性に優れるものほど企業若しくは新製品や新商品或いはサービスのイメージや信頼性をも高めることともなるため、その製版代や印刷費は極めて高額となり且結果的に多数枚の印刷作成を余儀なくされている。【０００３】  而して今日の如く、経営環境が国際化、情報化、革新化に晒されている状況下においては、市場構造が供給＞需要の図式にあるため需要者の財やサービスに対する価値観が著しく多様化し、企業間の競争激化とともに財やサービスも多種少量化へと移行し且財やサービスの短命化が惹起されるため、他方においては新製品や新商品或いはサービスの開発競争が熾烈さを極め、且これとともに企業自体の事業領域も変化することとも相俟って、企業の集中化や分散化も積極的になされている実情にある。【０００４】  かかる如き経緯から、企業内容の変更に伴う新たな企業案内はもとより多種に亘る新製品や新商品及び新サービスのためのカタログやパンフレット或いは付帯する技術資料等の作成のために多額なる費用が強いられることとなる。
そして印刷物による場合では極めて多種且多数枚に印刷作成がなされるために多重で且嵩高ともなり、特に営業活動の如き多くの顧客や取引先との接渉に際しては、多種で且多重嵩高のカタログやパンフレットを持参し移動せねばならず、而も顧客や取引先には日々多くの財やサービス提供業者からのカタログやパンフレット等も提供されるため、その分別整理はおろか保管上も著しく面倒とされており、而も印刷物による場合は専ら写真や文章の解読理解に委ねられるため、十分な理解が得られぬ問題をも多々孕んでいる。【０００５】  他方近年においては情報通信手段と情報処理機器の著しい発達に伴い、大小企業はもとより個人レベルに至るまでパソコンやインターネットの利用普及が目覚しく、且これら情報処理機器には文章や写真等を多量に駆使作成される印刷物に換算して数百頁分にも匹敵する情報容量を保持するＣＤ−ＲＯＭやＤＶＤ−ＲＯＭが使用されており、且このＣＤ−ＲＯＭでは直径が１２ｃｍ厚さが１．２ｍｍのポリカーボネート樹脂製であるから極めて小型且軽量のものである。【０００６】  これがためＣＤ−ＲＯＭやＤＶＤ−ＲＯＭに会社案内情報や新製品や新商品若しくは新サービス情報及び付帯技術情報或いは企画提案や販売促進情報等を入力し、顧客や取引先の情報機器ディスプレイに出力表示させる手段が極めて有利となる。
しかしながらＣＤ−ＲＯＭやＤＶＤ−ＲＯＭのみでは入力情報が顧客や取引先に即時判別できぬ問題も抱えることから、視覚により容易に入力情報を判別しえるガイド用パンフレットや主力製品や商品のパンフレット類若しくは会社案内等をＣＤ−ＲＯＭやＤＶＤ−ＲＯＭと共に挿着保持しえるファイル若しくはホルダーが要請される。【０００７】  而してかかる利用に供するファイルやホルダーの先願として実用新案登録第３０２０６０４号並びに特開２００４−１６８３５８号が挙げられるが、該先願考案たる記録担体用ファイル或いは先願発明たるホルダー等の構成である、合成樹脂シートを二つ折りして開閉状態となし且この二つ折りした内側にその下端をシールして袋面を有する収納部を設け、若しくはディスク保持シートを設けることは、この種のファイルやホルダーの普遍的技術とされている。従って先願考案の技術構成は、二つ折り体の内側面内に記録担体を係合保持可能に係止突起体を固着した構成並びに袋面内に記録担体の外周が納まる位置において、二つ折り体の内側の面内に記録担体を係合可能な係止突起体を固着した構成、即ちファイルされるＣＤの中心の穴を係止突起体で係合させる構成にある。【０００８】  更に先願発明の技術構成は、ホルダー内側のディスク保持シートを設けるとともに、該ディスク保持シートにディスク押え片を設けた構成、及びディスク保持シートを二つ折りしたシートの下端を除く一端に連絡し、このディスク保持シートをシート端でホルダーの内側に折り曲げた構成、並びにディスク保持シートに折曲線を介して前記ディスク押え片を連接した構成、或いは前記ディスク押え片に円弧状又はコ字状の切込みで縁取られた係止片を設けた構成にある。【０００９】  然るに本発明は主に営業活動におけるツールとしての会社案内をはじめ新製品や新商品若しくは新サービスの宣伝或いは販売促進や企業提案に係る文字や写真、映像等膨大量の情報を入力しえるＣＤ−ＲＯＭ若しくはＤＶＤ−ＲＯＭを使用し効果的な営業活動をなすものであり、且該ＣＤ−ＲＯＭやＤＶＤ−ＲＯＭは出力表示させぬ限りその内容が確認できないため、該ＣＤ−ＲＯＭやＤＶＤ−ＲＯＭとともに会社案内や製品や商品若しくはサービス或いは企画提案に係る概要パンフレット類はもとより、ＣＤ−ＲＯＭやＤＶＤ−ＲＯＭの入力情報ガイダンス等も挟着ファイルしえる挟着力を保持する構造が要請される。【００１０】  加えて多数枚に亘る概要パンフレット類が挟着ファイルされた状態においてもＣＤ−ＲＯＭやＤＶＤ−ＲＯＭが容易に取出し且収納固定できるとともに長時に亘る保管でも塵埃による汚損を防止しえる構成、及び営業活動の対象たる顧客や取引先には多くの企業からの製品や商品或いはサービスに係るカタログやパンフレット或いは企画提案書等が提案される。反面営業活動では名刺の交換とともにこれらカタログやパンフレット或いは企画提案書の提示と説明がなされるため、顧客や取引先には多数枚に亘る名刺や膨大数のカタログやパンフレット等が提供されるため、名刺とカタログやパンフレット或いは企画提案書との乖離が生じ商機を逸失する危険も孕んでいる。
してみると、先願考案並びに先願発明にはかかる技術的課題はおろか、その解決手段も窺われない。
【特許文献１】  実用新案登録第３０２０６０４号公報
【特許文献２】  特開２００４−１６８３５８号公報
【発明の開示】
【発明が解決しようとする課題】
【００１１】  本発明は上述の如き問題に鑑みなされたものであって、本発明は多数枚のカタログやパンフレットとＣＤ−ＲＯＭ若しくはＤＶＤ−ＲＯＭを挟着保持しえ、且ＣＤ−ＲＯＭやＤＶＤ−ＲＯＭの簡便な着脱及び防塵保護と説明者を顧客若しくは取引先に確実に告知させることの可能な、多機能性ファイルを提供することにある。
【課題を解決するための手段】
【００１２】  上述の課題を解決するために本発明が用いた技術的手段は、挟着保持されるカタログやパンフレット等が透視判別でき且装着固定されるＣＤ−ＲＯＭ若しくはＤＶＤ−ＲＯＭを装着部に挟持させ且密着した状態に装着させるうえから、透明で弾性を有する合成樹脂シート材からなり、この合成樹脂シート材をその中央で折合させて左右対称形状の表基部及び裏基部とを形成するとともに、多数枚のカタログやパンフレットを挟着保持させるため表基部の側縁と連接され且この側縁より内側に折合されたうえその下辺が表基部の下縁と接合され、而もその上辺と側辺が表基部の側縁及びに下縁の長さより短かく、且上辺と側辺とが曲線状に切欠された形状に挟着保持部が形成されている。【００１３】  更に裏基部の側縁と連接され且この裏基部側縁より内側に折合されたうえ、その下辺が裏基部の下縁と接合され而もその上辺と側辺が裏基部の側縁及び下縁の長さより短かく、且該上辺と側辺とが裏基部を傾斜２等分する形状に切欠された形状で装着部が形成されてなるとともに、この装着部にはその折合辺と下辺とにそれぞれＣＤ−ＲＯＭ若しくはＤＶＤ−ＲＯＭが接触される位置において、該接触されるＣＤ−ＲＯＭ若しくはＤＶＤ−ＲＯＭの対向側の円弧部分を挟持させるために、所要の挟入幅と長さで且その両側端には挟入変形を容易となすために、該挟入幅より広い孔径の挟入変形孔が形成され且円弧状若しくは直線状の装着固定部が形成されてなり、而も装着部には所要の幅と長さのスリット状で且挟入される名刺の端縁が装着部下辺若しくは折合辺で係止される名刺挟入部が縦方向及び横方向に形成された構成からなる多機能性ファイルに存する。
【発明の効果】
【００１４】  本発明は上述の如き技術的手段を用いてなるもので、使用素材が透明で弾性を有する合成樹脂シート材を用いられ、その中央部で折合されて左右対称形状に表基部及び裏基部が形成されるともに、表基部の側縁と連接され且この側縁より内側に折合されたうえ、その下辺が表基部の下縁と接合されて挟着保持部が形成され、更に裏基部の側縁と連接され且この側縁より内側に折合されたうえ、その下辺が裏基部の下縁と接合されて装着部が形成されてなるから、カタログやパンフレット若しくはガイダンス等が挟着保持された場合にも外部より容易に透視判別がなされ、而も表基部と裏基部とは対称的形状に形成され且相互が中央折合側に開口してなるからＡ４版とＡ３版、或いはＢ５版とＢ４版とを共用して挟持保持させることが可能となる。
加えて該挟着保持部はその下辺が表基部の下縁と接合されたうえ且その上辺と側辺が表基部の側縁及び下縁の長さより短かく、且上辺と側辺とが曲線状に切欠された形状のため表基部と挟着保持部との接触面積が大きくなり、多数枚に亘るカタログやパンフレット類も安定して挟着保持ができる。【００１５】  更に装着部は、その下辺が裏基部の下縁と接合されたうえ、その上辺と側辺が裏基部の側縁及び下縁の長さより短かく、且該上辺と側辺とが裏基部を傾斜２等分する形状に切欠形成されてなり、而もこの装着部にはその折合辺と下辺とにＣＤ−ＲＯＭ若しくはＤＶＤ−ＲＯＭが接触される位置において、該接触されたＣＤ−ＲＯＭ若しくはＤＶＤ−ＲＯＭの対向側の円弧部分が挟持されるよう、所要の挟入幅と長さで且その両側端に挟入幅より広い孔径の挟入変形孔が形成された円弧状若しくは直線状の装着固定部が形成されてなるため、ＣＤ−ＲＯＭやＤＶＤ−ＲＯＭを折合辺と下辺と接触させたうえ、該装着固定部を軽く押圧させるのみで容易に変形開口してＣＤ−ＲＯＭ若しくはＤＶＤ−ＲＯＭの円弧部分を挟持し装着固定がなされ若しくは取除しが可能となる。【００１６】  更に装着固定されるＣＤ−ＲＯＭやＤＶＤ−ＲＯＭは、傾斜２等分される装着部に十分包被される位置に装着固定されるため、長期保管中においてもＣＤ−ＲＯＭやＤＶＤ−ＲＯＭ表面への塵埃の付着が防止され、且装着固定部は装着部の斜辺より近い部位に形成されるため装着固定や取除操作も簡便になしえる。而も該装着部には縦方向及び横方向に所要の幅と長さのスリット状で、且その端縁が装着部の下辺若しくは折合辺で係止される適宜位置に縦方向及び横方向に名刺挿入部が設けてなるため、不特定多数の顧客や取引先への営業活動がなされた場合にも、本発明と一体的に説明者や提案者の社名、部署及び氏名が告知される。
加えて本発明は透明で弾性を保持する合成樹脂シート材をその展開形状において打抜き、中央部位の折合並びに表基部及び裏基部の側縁をそれぞれ内側に折合し、且折合された挟着保持部及び装着部の下辺を接合させるのみで形成されるため、極めて生産性に優れ且安価に提供される。
【発明を実施するための最良の形態】
【００１７】  透明で弾性を有する合成樹脂シート材を用い、その中央で折合させて左右対称形状の表基部及び裏基部となし、更に表基部の側縁と連接し且該側縁で内側に接合されたうえその下辺が表基部下縁と接合され、而もその上辺及び側辺が表基部の上縁及び側縁の長さより短く、且上辺と側辺とが曲線状に切欠された形状で挟着保持部が形成され、更に裏基部の側縁と連結され且該側縁で内側に折合されたうえ、その下辺が裏基部の下縁と接合され而もその上辺と側辺が裏基部の側縁及び下縁の長さより短く且該上辺と側辺とが裏基部を傾斜２等分する形状に切欠された形状で装着部が形成され、而もこの装着部の折合辺と下辺とにＣＤ−ＲＯＭ若しくはＤＶＤ−ＲＯＭの周縁が接触固定される位置において該ＣＤ−ＲＯＭ若しくはＤＶＤ−ＲＯＭの対向する円弧部分を装着固定するため所要の挿入幅と長さで且その両端に該挿入幅より大きな孔径を有する挿入変形孔を有し、弧形状若しくは直線状の装着固定部が設けられ、而も所要の幅と長さのスリット状で且その端縁が装着部の下辺若しくは折合辺で係止される位置で縦方向及び横方向に名刺挿入部が形成された構成。
【実施例１】
【００１８】  以下に本発明実施例を図とともに詳細に説明すれば、図１は本発明の説明図であって、本発明は収納ファイルされるカタログやパンフレット若しくは同様に収納ファイルされるＣＤ−ＲＯＭやＤＶＤ−ＲＯＭ内の入力情報ガイダンス等が外部より容易に透視判別でき、更には多数枚に収納ファイルされるカタログやパンフレット等を安定して挟着保持させ、或いはＣＤ−ＲＯＭやＤＶＤ−ＲＯＭ５を簡便且安定して装着固定させるうえから、使用素材としては透明で弾性を有する合成樹脂シート材１が使用される。
この合成樹脂シート材１の素材としては極めて多種に亘るものが挙げられるが、装着固定されるＣＤ−ＲＯＭやＤＶＤ−ＲＯＭ５はポリカーボネート樹脂素材が用いられてなるため、使用に際しての装着や脱着時における損傷を防止するうえからは、ポリカーボネート樹脂より硬度が低く弾性を有し且価格的安価さ等の面でポリエチレン樹脂若しくはポリプロピレン樹脂素材が好適である。
更に該合成樹脂シート材１の厚さとしては特段に制約は無いが、一般的使用では略０．１乃至０．３程度で十分である。【００１９】  かくして選択された透明で弾性を有する合成樹脂シート１を用い、その中央で折合させることにより左右が対称的形状の表基部２及び裏基部２０が形成される。
この表基部２並びに裏基部２０の大きさや寸法には特段の制約はなく、収納ファイルされるカタログやパンフレット等が特別な大きさや寸法による場合にはその大きさや寸法に合せて形成がなされるが、一般的にはカタログやパンフレット類或いは文章類もＡ４版に集約されつつあるため、通常においてはＡ４版の大きさと寸法に形成される。無論本発明においては表基部２と裏基部２０とを連通させて使用することも可能であるから、Ａ３版のカタログやパンフレット等にも当然に対処できる。【００２０】  そして表基部２の側縁２Ａに連接され、この側縁２Ａより内側に折合されたうえ、その下辺３Ａが表基部２の下縁２Ｂと接合３Ｂされ、而もその上辺３Ｃと側辺３Ｄの長さが表基部２の側縁２Ａ及び下縁２Ｂの長さより短く形成され、且上辺３Ｃと側辺３Ｄとが曲線状に切欠された形状３Ｅで挟着保持部３が形成されている。
かかる場合において上辺３Ｃと側辺３Ｄの長さが表基部２の側縁２Ａ及び下縁２Ｂの長さより短かく形成される具体的割合には特段の制約はないが、挟着保持部３に多数枚のカタログやパンフレットが収納ファイルされた場合に、十分に安定した挟着保持をなさしめる必要上、表基部２の面積に対して挟着保持部３の面積が少なくとも８０％割合望ましくは８５乃至９０％割合で形成されることが好適である。【００２１】  更に裏基部２０には該裏基部２０の側縁２０Ａと連接され、且この側縁２０Ａより内側に折合されたうえその下辺３０Ａが裏基部２０の下縁２０Ｂと接合３０Ｂされており、而もその上辺３０Ｃと側辺３０Ｄの長さが裏基部２０の側縁２０Ａ及び下縁２０Ｂの長さより短く、且該上辺３０Ｃと側辺３０Ｄとが裏基部２０を傾斜２等分する形状に切欠形成３０Ｅされて装着部３０が形成されている。
かかる場合において、該装着部３０は収納されるＣＤ−ＲＯＭやＤＶＤ−ＲＯＭ５を装着固定させ且保管中における防塵や、或いはＣＤ−ＲＯＭやＤＶＤ−ＲＯＭ５の装着や脱着を簡便になすこと等が主となる部分であるため、該装着部３０が広い面積で形成されると装着固定や装着脱着作業が却って面倒となる。
これがため該装着部３０の裏基部２０の面積に対する割合としては、せいぜい４５乃至５５％程度が望ましい。【００２２】  そして該装着部３０には、その折合辺３０Ｆ及び下辺３０ＡとＣＤ−ＲＯＭ若しくはＤＶＤ−ＲＯＭ５の外周縁とが接触される位置において、そのＣＤ−ＲＯＭ若しくはＤＶＤ−ＲＯＭ５の対向側の円弧部分５Ａが挟持されるような位置に、所要の挟入幅４Ａと長さで且その両側端にその挟入幅４Ａより広い孔径を有する挟入変形孔４Ｂが形成された円弧状若しくは直線状の装着固定部４が形成されている。
即ち装着固定部４の形成位置は、収納されるＣＤ−ＲＯＭやＤＶＤ−ＲＯＭ５が常に一定位置に配位されることが簡便に装着固定をなすうえから重要であって、これがためには装着部３０の折合辺３０Ｆ及び下辺３０Ａとの二辺でＣＤ−ＲＯＭやＤＶＤ−ＲＯＭ５の外周縁を接触固定させることが簡便且安定した位置の決定に極めて有利なことによるものである。そしてこの位置が決定されたＣＤ−ＲＯＭやＤＶＤ−ＲＯＭ５の対向側の円弧部分５Ａが挟持され固定される位置に装着固定部４が形成されている。【００２３】  即ち該装着固定部４は図２に示す如く、裏基部２０の側縁２０Ａを内側に折合される装着部３０の下辺３０Ａと接合辺３０ＦとにＣＤ−ＲＯＭ若しくはＤＶＤ−ＲＯＭ５の外周縁を接触させることにより、該ＣＤ−ＲＯＭ若しくはＤＶＤ−ＲＯＭ５の対向側の周縁位置も決定される。そこで該対向側のＣＤ−ＲＯＭ若しくはＤＶＤ−ＲＯＭ５の円弧部分５Ａを所要の円弧長分挟持させるため、装着部３０の所要の位置に所要の挿入幅４Ａと長さで、且その両側端に該挿入幅４Ａより広い孔径を有する挟入変形孔４Ｂが形成された円弧状若しくは直線状の構成のものである。【００２４】  そこでＣＤ−ＲＯＭにおける装着固定の場合をより具体的に説明すれば、ＣＤ−ＲＯＭは直径において１２ｃｍ厚さにおいて１．２ｍｍのものであり、このＣＤ−ＲＯＭの安定した挟持固定には、その円弧長の略１５．８乃至２０％相当の長さ割合で挟持させることが望ましい。
更に該ＣＤ−ＲＯＭを容易に挟入させるためには、該ＣＤ−ＲＯＭの厚さに対して略２．５乃至３．０倍の挿入幅４Ａが望ましく、且該挟入幅４Ａを大きく開口変形させて容易に挟入固定をなすためには、該挿入幅４Ａの両側端に軽微な操作力で容易に開口変形がなしえるよう、該挿入溝４Ａの幅に比べて略１．６乃至２．０倍の孔径を有する挟入変形孔４Ｂの形成が望まれるものであって、実用上では挿入幅４Ａとして３．０乃至３．６ｍｍ、挿入長としては５．６乃至７．５ｃｍ程度、挿入変形孔４Ｂの孔径としては略４．８乃至６．０ｍｍで形成されるものである。
加えて該装着固定部４の形状としては円弧状に形成されれば、ＣＤ−ＲＯＭとの挟持面積割合が大きくなりより安定した挟持固定がなしえるものであって、該円弧状での形成に際しては、挟持固定されるＣＤ−ＲＯＭの曲率半径と同等の曲率半径が好適である。【００２５】  図３は装着部３に形成される名刺挿入部６の説明図であって、該名刺挿入部６は営業活動や企画提案等、不特定多数の顧客や取引先等に説明や提案とともに提示されるファイルされたカタログやパンフレット或いはＣＤ−ＲＯＭやＤＶＤ−ＲＯＭ５等に、説明者や提案者の告知を図るため本発明に名刺６Ｂを付帯させるもので、名刺６Ｂは縦９１ｍｍ横５５ｍｍ程度の物であるが、縦刷りと横刷りによるものが使用されている。
そして該名刺挿入部６は、容易に名刺６Ｂを挿入しえるようその長さ（幅）は名刺の幅に合せ且そのスリット６Ａの幅は簡便に挿入させるうえから略２乃至３ｍｍが好適である。そして肝要なことは、該名刺挿入部６に挿入される名刺６Ｂの略６０乃至８０％長さ割合まで挿入された場合に、該名刺６Ｂの端縁が縦刷りの名刺６Ｂでは下辺３０Ａに、更に横刷りの名刺６Ｂの場合には折合辺３０Ｆで係止される位置に名刺挿入部６を形成させることにある。【００２６】  かかる如くして本発明多機能性ファイル７が形成されるものであるが、本発明多機能性ファイル７は透明で弾性を有する合成樹脂シート材１を折合させることによりその大半が形成され、且その一部分の接合により完成されるものであるから、本発明多機能性ファイル７の作成には図４に示す如く、透明で弾性を有する合成樹脂シート材１をその展開形状において打抜き、而して中央の接合による表基部２および裏基部２０を形成し、更に表基部２の側縁２Ａの折合と且その下縁２Ｂとの接合、及び裏基部２０の側縁２０Ａの折合と下縁２０Ｂとの接合のみで形成されるため、生産性が極めて高く且安価に提供されることとなる。
【産業上の利用可能性】
【００２７】  表基部及び裏基部をＡ４版の寸法に形成させることで、カタログやパンフレット及びＣＤ−ＲＯＭを収納ファイルさせて実用使用に供しえる。
【図面の簡単な説明】
【００２８】
【図１】  本発明の説明図である。
【図２】  装着固定部の説明図である。
【図３】  名刺挿入部の説明図である。
【図４】  本発明の展開図である。
【符号の説明】
【００２９】  １    透明で弾性を有する合成樹脂シート材
２    表基部
２Ａ  表基部の側縁
２Ｂ  表基部の下縁
２０    裏基部
２０Ａ  裏基部の側縁
２０Ｂ  裏基部の下縁
３    挟着保持部
３Ａ  挟着保持部の下辺
３Ｂ  挟着保持部の接合
３Ｃ  挟着保持部の上辺
３Ｄ  挟着保持部の側辺
３Ｅ  曲線状に切欠された形状
３０    装着部
３０Ａ  装着部の下辺
３０Ｂ  装着部の接合
３０Ｃ  装着部の上辺
３０Ｄ  装着部の側辺
３０Ｅ  装着部の切欠形成
３０Ｆ  装着部の折合辺
４    装着固定部
４Ａ  挿入幅
４Ｂ  挿入変形孔
５    ＣＤ−ＲＯＭ若しくはＤＶＤ−ＲＯＭ
５Ａ  円弧部分
６    名刺挿入部
６Ａ  スリット
６Ｂ  名刺
７    本発明多機能性ファイル
【図１】
2007076351.tif 000003
【図２】
2007076351.tif 000004
【図３】
2007076351.tif 000005
【図４】
2007076351.tif 000006